(57)【要約】【課題】未使用時にはコンパクトで、使用時には任意の大きさにできる簡易型薬剤揮散器とする。【解決手段】ハニカム構造の筒状体に揮散性の薬剤を保持させ、軸方向に縮小、拡開自在な薬剤保持体１０と、この薬剤保持体１０の軸方向一端部に取付けた第１支持体２０と、前記薬剤保持体１０の軸方向他端部に取付けた第２支持体３０を備え、第１・第２支持体２０，３０を接近して薬剤保持体１０を縮小することでコンパクトな未使用状態にでき、第１・第２支持体２０，３０を離隔して薬剤保持体１０を拡開して任意の大きさにできる簡易型薬剤揮散器。【選択図】      図３
2005040022.tif 000002
【特許請求の範囲】
【請求項１】
揮散性の薬剤を保持し、長尺な状態と短尺な状態に軸方向に変位可能な薬剤保持体１０と、
前記薬剤保持体１０の軸方向一端部に取付けた第１支持体２０と、
前記薬剤保持体１０の軸方向他端部に取付けた第２支持体３０を備えた簡易型薬剤揮散器。
【請求項２】
薬剤保持体１０は、伸縮自在な多数のセル１１が重なり合う重合形状と、その多数のセル１１が拡開した立体形状に軸方向に拡開・折り畳み自在なハニカム構造の筒状体で、揮散性の薬剤を保持し、
第１支持体２０と第２支持体３０の少なくとも一方に、前記ハニカム構造の筒状体の空洞１２を外部に連通する通気部を形成した請求項１記載の簡易型薬剤揮散器。
【請求項３】
薬剤保持体１０は、立体形状に拡開した状態で、各セル１１によって外周面１０ａと内周面１０ｂが連通している請求項２記載の簡易型薬剤揮散器。
【請求項４】
第１支持体２０と第２支持体３０で、短尺な状態な薬剤保持体１０を収容するようにした請求項１〜３いずれか１項記載の簡易型薬剤揮散器。
【請求項５】
第１支持体２０は外側筒２４と内側筒２５を有し、第２支持体３０は外側筒３４と内側筒３５を有し、
前記外側筒２４，３４同士及び内側筒２５，３５同士が連結して収納室２を形成し、
この収納室２内に薬剤保持体１０の全部が収容されるようにした請求項４記載の簡易型薬剤揮散器。
【発明の詳細な説明】
【０００１】
【発明の属する技術分野】
本発明は、ファンやヒータ等を用いずに自然に薬剤を気中に揮散する、主として室内や車内において使用する簡易型薬剤揮散器に関する。
【０００２】
【従来の技術】
特許文献１に、立体形状に展開できるハニカム構造体に、揮散性の薬剤を保持した薬剤保持体を、折り畳み自在な支持体に取付け、その支持体を展開状態とすることで薬剤保持体を立体形状とし、自然に薬剤を気中に揮散、または、その薬剤保持体の内部にファンを設置し、ファンを駆動して薬剤を気中に揮散する薬剤揮散装置が開示されている。
【０００３】
【特許文献１】
特開２０００−１８９０３２号公報
【０００４】
【発明が解決しようとする課題】
前述したように、立体形状に展開できるハニカム構造体に薬剤を保持させ、その保持した薬剤を気中に揮散するようにしたものは、使用時の大きさが未使用時よりも大きいから、空気と触れる面積が大きく気中に揮散する薬剤量を多くできる。
しかしながら、折り畳み自在な支持体に薬剤保持体を取付けたので、その使用時の大きさが支持体を展開した状態の大きさによって制約され、未使用時の大きさと使用時の大きさの差、つまり使用時に大きくできる値に限度があるから、気中に揮散する薬剤量にも限度がある。
【０００５】
本発明は、前述の課題を解決するためになされたものであり、その目的は、薬剤保持体の大きさを、未使用時には小さく、使用時に任意に大きくできるようにした簡易型薬剤揮散器を提供することである。
【０００６】
【課題を解決するための手段】
第１の発明は、揮散性の薬剤を保持し、長尺な状態と短尺な状態に軸方向に変位可能な薬剤保持体１０と、
前記薬剤保持体１０の軸方向一端部に取付けた第１支持体２０と、
前記薬剤保持体１０の軸方向他端部に取付けた第２支持体３０を備えた簡易型薬剤揮散器である。
【０００７】
第２の発明は、第１の発明において薬剤保持体１０は、伸縮自在な多数のセル１１が重なり合う重合形状と、その多数のセル１１が拡開した立体形状に軸方向に拡開・折り畳み自在なハニカム構造の筒状体で、揮散性の薬剤を保持し、
第１支持体２０と第２支持体３０の少なくとも一方に、前記ハニカム構造の筒状体の空洞１２を外部に連通する通気部を形成した簡易型薬剤揮散器である。
【０００８】
第３の発明は、第２の発明において薬剤保持体１０は、立体形状に拡開した状態で、各セル１１によって外周面１０ａと内周面１０ｂが連通しているの簡易型薬剤揮散器である。
【０００９】
第４の発明は、第１〜第３いずれか１つの発明において第１支持体２０と第２支持体３０で、短尺な状態な薬剤保持体１０を収容するようにした簡易型薬剤揮散器である。
【００１０】
第５の発明は、第４の発明において第１支持体２０は外側筒２４と内側筒２５を有し、第２支持体３０は外側筒３４と内側筒３５を有し、
前記外側筒２４，３４同士及び内側筒２５，３５同士が連結して収納室２を形成し、
この収納室２内に薬剤保持体１０の全部が収容されるようにした簡易型薬剤揮散器である。
【００１１】
【作  用】
第１の発明によれば、薬剤保持体１０を短尺な状態とすればコンパクトになるし、長尺な状態とすれば全長が長くなって空気と触れる面積が大きくなる。
しかも、薬剤保持体１０の軸方向両端部に第１・第２支持体２０，３０がそれぞれ取付けてあり、この第１・第２支持体２０，３０の大きさに関係なく薬剤保持体１０を長尺な状態とすることができる。
したがって、薬剤保持体１０の大きさを未使用時には小さく、使用時には任意の大きさにできるから、未使用時にはコンパクトで、使用時には空気と触れる面積が大きく、気中に多量の薬剤を揮散できる簡易型薬剤揮散器とすることができる。
【００１２】
第２の発明によれば、薬剤保持体１０を形成するハニカム構造の筒状体の空洞１２に通気部を通して空気が流れるので、その薬剤保持体１０の外周面１０ａ及び内周面１０ｂにそれぞれ空気が直接的に触れる。
よって、薬剤保持体１０の内部と外部の薬剤揮散量をほぼ同一とすることができる。
【００１３】
第３の発明によれば、各セル１１を通して外周面１０ａと内周面１０ｂとに空気が流れ、外周面１０ａと内周面１０ｂに空気がほぼ均一に触れるので、薬剤保持体１０の内部と外部の薬剤揮散量をより一層ほぼ同一とすることができる。
【００１４】
第４の発明によれば、短尺な状態とした薬剤保持体１０が第１・第２支持体２０，３０に収容されるので、未使用時に揮散する薬剤量が低減する。
【００１５】
第５の発明によれば、第１・第２支持体２０，３０間に形成した収納室２内に薬剤保持体１０の全部が収容されるから、未使用時に薬剤が揮散することを防止できる。
【００１６】
【発明の実施の形態】
本発明の第１の実施の形態を図１〜図３に基づいて説明する。
薬剤保持体１０と、この薬剤保持体１０の軸方向一端部に取付けた第１支持体２０と、前記薬剤保持体１０の軸方向他端部に取付けた第２支持体３０で簡易型薬剤揮散器を構成している。
前記薬剤保持体１０は、短尺な状態と長尺な状態に軸方向に変位可能で、揮散性の薬剤を保持している。
【００１７】
このようであるから、薬剤保持体１０を短尺な状態とすればコンパクトになるし、長尺な状態とすれば全長が長くなって空気と触れる面積が大きくなる。
しかも、薬剤保持体１０の軸方向両端部に第１・第２支持体２０，３０がそれぞれ取付けてあり、この第１・第２支持体２０，３０の大きさに関係なく薬剤保持体１０を長尺な状態とすることができる。
【００１８】
これらのことが相俟って、薬剤保持体１０の大きさを未使用時には小さく、使用時には任意の大きさにできるから、未使用時にはコンパクトで、使用時には空気と触れる面積が大きく、気中に多量の薬剤を揮散できる簡易型薬剤揮散器とすることができる。
【００１９】
具体的には、前記薬剤保持体１０は、伸縮自在な多数のセル１１が重なり合う重合形状と、その多数のセル１１が拡開した立体形状に軸方向に拡開・折り畳み自在なハニカム構造の筒状体で、揮散性の薬剤を保持している。
具体的には、多数のセル１１は軸方向に伸縮自在で、図２に示すように重合形状であると全長が短くなり、図３に示すように立体形状であると全長が長くなり、その時にセル１１は外周面１０ａと内周面１０ｂに亘って開口連通した形状である。
【００２０】
前記第１支持体２０は薬剤保持体１０の軸方向一端部に取付けてあり、薬剤保持体１０の外周面１０ａよりも大きいと共に、内周面１０ｂに開口した通気部、例えば孔２１を有する。
具体的には、第１支持体２０は円板形状で、その内面のリング形状の凹部２２が形成され、この凹部２２に薬剤保持体１０の軸方向一端部を嵌め込むようにして取付けてある。
【００２１】
前記第２支持体３０は薬剤保持体１０の軸方向他端部に取付けてあり、薬剤保持体１０の外周面１０ａよりも大きい。
具体的には、第２支持体３０は円板形状で、その内面にリング形状の凹部３１が形成され、この凹部３１に薬剤保持体１０の軸方向他端部を嵌め込むようにして取付けてある。
【００２２】
このようであるから、ハニカム構造で筒状体である薬剤保持体１０の軸心に形成された空洞１２に孔２１を通して空気が流れ、内周面１０ｂにも空気が触れ、外部と内部において薬剤揮散量をほぼ同一とすることができる。
すなわち、ハニカム構造の筒状体の軸方向両端部に第１・第２支持体２０，３０を取付けると、その外周面１０ａには直接的に空気が触れるが、内周面１０ｂには直接的に空気が触れずにセル１１を通して間接的に空気と触れるので、外部と内部において薬剤の揮散する薬剤量が大きく違う。特に、内部の薬剤を充分に揮散しきれていない。
【００２３】
これに対して、第１支持体２０に通気部を設けることで、空洞１２に空気が流れ、内周面１０ｂに空気が直接的に触れるので、外部と内部の薬剤揮散量をほぼ同一とすることができる。
しかも、セル１１によって外周面１０ａと内周面１０ｂが連通するので、このセル１１と空洞１２と第１支持体２０の通気部を通して空気がスムーズに流れ、外周面１０ａと内周面１０ｂに空気がほぼ均一に触れるから、内部と外部との薬剤揮散量をより一層ほぼ同一とすることができる。好ましくは、同一とすることができる。
【００２４】
図４と図５に示すように、第２支持体３０に通気部、例えば孔３２を形成しても良い。
このようにすれば、空洞１２に直接空気が流通するので、内部と外部の薬剤揮散量をより一層ほぼ同一とすることができる。
【００２５】
前述の簡易型薬剤揮散器は第１支持体２０を上として吊り下げるようにして使用することが好ましい。
例えば、図６に示すように第１支持体２０に吊り金具２３を取付け、天井、柱などに吊す、また、弓状の掛け具やＬ字状の支え棒を壁面などに取付け、これに吊して使用できる。
なお、第１支持体２０の側面に取り付け片を設け、壁面や柱などに引っかけたり、ねじ止めして使用することもできる。
また、床、置き台、建具などの面に立てて（支え棒等を利用して）使用したり、または第１・第２支持体２０，３０を設置し易い形状としたり、設置台を利用して横にして設置して使用することもできる。
【００２６】
前述の薬剤保持体１０をカバーする防護体を設け、ハニカム構造の筒状体である薬剤保持体１０に人の手が触れることを防止し、人の手に薬剤が付着したり、薬剤保持体１０を傷つけることがないようにしても良い。
例えば、図７に示すように第１支持体２０と第２支持体３０とに亘って通気性を有すると共に、伸縮する筒体１を取付ける。
【００２７】
前述の筒体１としては、提灯の火袋などのように不連続被膜、被膜のない骨組み形状、ネット被膜など通気性を高めた形状が好ましい。
また、防護体としては、すだれ、網などを第１支持体２０に吊り下げて取付けたものでも良い。
【００２８】
前述の第１・第２支持体２０，３０を、薬剤保持体１０が短尺状態の時に容器形状となり、その薬剤保持体１０を収容するようにしても良い。
このようにすれば、未使用時に薬剤が揮散することが低減する。
【００２９】
例えば、図８と図９に示すように、第２支持体３０にリング形状の収容凹部３３を形成し、図８に示すように、この収容凹部３３に薬剤保持体１０のほとんどが収容されるようにする。
【００３０】
図１０と図１１に示すように、第１・第２支持体２０，３０に、外側筒２４，３４と内側筒２５，３５を一体的に設け、図１０に示すように、この外側筒２４，３４と内側筒２５，３５が嵌合して収容室２を形成し、この収容室２内に薬剤保持体１０が全て収容されるようにする。
なお、図８、図９では第２支持体３０は通気部（孔３２）を有しているが、通気部がないものでも良い。
また、図１０、図１１では第２支持体３０は通気部を備えていないか、通気部（孔３２）を設けても良い。
【００３１】
図１０と図１１に示す実施の形態においては外側筒２４，３４と内側筒２５，３５がほぼ同一長さであるが、どちらか一方を長く、他方を短くしても良い。このようにすれば、短い方から手を入れる等して薬剤保持体１０を固着でき、その薬剤保持体１０の第１・第２支持体２０，３０への固着（取付け）が容易である。
【００３２】
また、第１・第２支持体２０，３０に亘って複数の薬剤保持体１０を取付けても良い。
このようにすれば、複数の薬剤保持体１０に異なる薬効の薬剤を保持することで、異なる薬効の薬剤を同時に揮散することができる。
例えば、薬剤保持体１０を断面半円形のものを２つ、断面１２０度の扇形のもの３つ、大径筒状体と小径筒状体の２つとし、それぞれ第１・第２支持体２０，３０間に亘って取付ける。
【００３３】
この場合には、第１・第２支持体２０，３０を、図１２（ａ）に示すように、２つの仕切片２６，３６で半円形状の取付部２０ａ，３０ａを２つ有する形状、図１２（ｂ）に示すように、３つの仕切片２６，３６で１２０度の扇形の取付部２０ａ，３０ａを３つ有する形状、図１２（ｃ）に示すように円形仕切片２７，３７で外周側取付部２０ｂ，３０ｂと内周側取付部２０ｃ，３０ｃを有する形状とすることが好ましい。
【００３４】
前述の各実施の形態は薬剤保持体１０をハニカム構造の筒状体としたが、これに限ることはない。例えば、図１３に示すように薬剤保持体１０を、平板を多数回折り曲げて多数の片部を有し、折り畳み重ねた短尺な状態と、広めＶ字状やほぼ直線状に引き伸ばした長尺な状態に軸方向に変位可能な構造体に、揮散性薬剤を保持したものとする。
そして、最上部の片部１３を第１支持体２０に取付けると共に、最下部の片部１４を第２支持体３０に取付ける。
【００３５】
この場合には、引き伸ばして長尺な状態で使用するが、その際に各片部の両面に空気が触れるから、薬剤保持体１０の全体からほぼ均一に薬剤を揮散することができるが、図１３に示すように、第１・第２支持体２０，３０に通気部（孔２１，３２）を形成すると共に、各片部に孔１４を孔２１，３２と対向して形成することで、より一層均一に薬剤が揮散するようにしても良い。
【００３６】
この実施の形態では、第１・第２支持体２０，３０は前述の外側筒２４，３４を備え、図１４に示すように、この外側筒２４，３４を連結することで短尺な状態の薬剤保持体１０を第１・第２支持体２０，３０内に収容するようにしてある。
この場合には、図１５に示すようなほぼＵ字形状のクランプ部材３のクランプ片３ａで図１４に仮想線で示すように第１・第２支持体２０，３０を挟持して保持することが好ましい。
【００３７】
前述の各片部は矩形状であるが、円形、菱形、多角形、芯形、葉形、動物形などとすることができるし、それらの複数のものを組み合わせることもできる。
さらに、図柄、色柄などを入れることもできる。
また、引き伸ばした状態で人物、動物、植物、乗り物などを示す立体形状とすることができる。
【００３８】
また、図１６に示すように、各片部に紐などの索条４を貫通させ、その索条４に下片５と上片６を固着し、その索条３の長さによって引き伸ばし状態を調整できるようにする。
なお、索条４の上端部にフック７を連結し、このフック７を引掛けて吊り下げるようにしても良い。
【００３９】
図１７に示すように、網８を筒状とすると共に、その内部と外部に複数の内部輪状枠９ａと外部輪状枠９ｂを軸方向に間隔を置いて交互に設けた蛇腹状体に揮散性の薬剤を保持して薬剤保持体１０とする。
この場合は、吊り下げて設置することで蛇腹状体が内部輪状枠９ａ、外部輪状枠９ｂの自重で伸びて垂れ下がるので、第２支持体３０を蛇腹状体を収容する形状、大きさとすることが、使用に際し、第１・第２支持体２０，３０が取り扱い易い。
前記内部輪状枠９ａ、外部輪状枠９ｂは、金属、竹、プラスチックなどによって製作することが好ましい。
【００４０】
図１８に示すように、多数のプレート４０を紐などの複数の索条４１で連結し、その各プレート４０に揮散性の薬剤を保持させて薬剤保持体１０とする。
前記各索条４１を第１・第２支持体２０，３０にそれぞれ連結し、第１支持体２０を吊り下げることで各プレート４０が下方に移動してそれぞれ離隔した長尺な状態となり、第１・第２支持体２０，３０を接近させることで各プレート４０が重なり合った短尺な状態となるようにする。
前記プレート４０には孔４０ａが形成してある。
前記第１・第２支持体２０，３０は外側筒２４，３４と内側筒２５，３５を備え、この外側筒２４，３４相互と内側筒２５，３５相互が嵌まり合って薬剤保持体１０を収容するようにしてある。
【００４１】
前記プレート４０は、孔４０ａを有しない円板状、円板状で弓形状に湾曲したもの、ほぼ半球形状に湾曲したもの、網体を用いたもの等が使用できる。
例えば、図１９に示すように、外側枠４２と中央板４３を複数のステー４４で一体的に連結して複数の開口部４５を有する枠体４６と、その各開口部４５に取付けた薬剤を保持した網４７でプレート４０とする。
このようにすれば、図２０に示すように中央板４３で第１・第２支持体２０，３０の通気部（孔２１，３２）を閉塞することができるから、未使用時に薬剤保持体１０を密閉空間内に収容することができ、薬剤の揮散を確実に防止できる。
【００４２】
図２１に示すように、薬剤保持体１０を垂れ膜構造体に揮散性の薬剤を保持させたものとする。
この垂れ膜構造体を第１・第２支持体２０，３０に取付けると共に、第１・第２支持体２０，３０を索条４１で連結する。
【００４３】
このようにすれば、第１支持体２０を吊り下げることで第２支持体３０が下方に垂れて索条４１で保持され、垂れ膜構造体が伸び、長尺な状態となる。
この時、第２支持体３０の重量を索条４１で支持するので、垂れ膜構造体に無理な力が作用しない。
また、第１・第２支持体２０，３０を接近することで垂れ膜構造体が短くなり、短尺な状態となる。
【００４４】
前述の垂れ膜構造体としては、布、紙、網などが利用できる。
【００４５】
【発明の効果】
請求項１に係る発明によれば、薬剤保持体１０を短尺な状態とすればコンパクトになるし、長尺な状態とすれば全長が長くなって空気と触れる面積が大きくなる。
しかも、薬剤保持体１０の軸方向両端部に第１・第２支持体２０，３０がそれぞれ取付けてあり、この第１・第２支持体２０，３０の大きさに関係なく薬剤保持体１０を長尺な状態とすることができる。
したがって、薬剤保持体１０の大きさを未使用時には小さく、使用時には任意の大きさにできるから、未使用時にはコンパクトで、使用時には空気と触れる面積が大きく、気中に多量の薬剤を揮散できる簡易型薬剤揮散器とすることができる。
【００４６】
請求項２に係る発明によれば、薬剤保持体１０を形成するハニカム構造の筒状体の空洞１２に通気部を通して空気が流れるので、その薬剤保持体１０の外周面１０ａ及び内周面１０ｂにそれぞれ空気が直接的に触れる。
よって、薬剤保持体１０の内部と外部の薬剤揮散量をほぼ同一とすることができる。
【００４７】
請求項３に係る発明によれば、各セル１１を通して外周面１０ａと内周面１０ｂとに空気が流れ、外周面１０ａと内周面１０ｂに空気がほぼ均一に触れるので、薬剤保持体１０の内部と外部の薬剤揮散量をより一層ほぼ同一とすることができる。
【００４８】
請求項４に係る発明によれば、短尺な状態とした薬剤保持体１０が第１・第２支持体２０，３０に収容されるので、未使用時に揮散する薬剤量が低減する。
【００４９】
請求項５に係る発明によれば、第１・第２支持体２０，３０間に形成した収納室２内に薬剤保持体１０の全部が収容されるから、未使用時に薬剤が揮散することを防止できる。
【図面の簡単な説明】
【図１】本発明の第１の実施の形態を示す未使用状態の外観斜視図である。
【図２】未使用状態の断面図である。
【図３】使用状態の断面図である。
【図４】第２支持体にも通気部を設けた例を示す未使用状態の断面図である。
【図５】第２支持体にも通気部を設けた例を示す使用状態の断面図である。
【図６】吊り金具を備えた例を示す使用状態の一部破断斜視図である。
【図７】防護体を備えた例を示す一部破断斜視図である。
【図８】第２支持体内に薬剤保持体を収容するようにした例を示す未使用状態の断面図である。
【図９】第２支持体内に薬剤保持体を収容するようにした例を示す使用状態の断面図である。
【図１０】第１・第２支持体内に薬剤保持体を収容するようにした例を示す未使用状態の断面図である。
【図１１】第１・第２支持体内に薬剤保持体を収容するようにした例を示す使用状態の断面図である。
【図１２】複数の薬剤保持体を取付ける第１・第２支持体内の斜視図である。
【図１３】薬剤保持体の第２の実施の形態を示す使用状態の断面図である。
【図１４】未使用状態の断面図である。
【図１５】クランプ部材の正面図である。
【図１６】薬剤保持体の第３の実施の形態を示す使用状態の断面図である。
【図１７】薬剤保持体の第４の実施の形態を示す使用状態の断面図である。
【図１８】薬剤保持体の第５の実施の形態を示す使用状態の断面図である。
【図１９】プレートの斜視図である。
【図２０】プレートの取付状態を示す上部のみの断面図である。
【図２１】
薬剤保持体の第６の実施の形態を示す使用状態の斜視図である。
【符号の説明】
１０…薬剤保持体、１１…セル、１２…空洞、２０…第１支持体、２１…孔（通気部）、３０…第２支持体、３２…孔（通気部）。
【図１】
2005040022.tif 000003
【図２】
2005040022.tif 000004
【図３】
2005040022.tif 000005
【図４】
2005040022.tif 000006
【図５】
2005040022.tif 000007
【図６】
2005040022.tif 000008
【図７】
2005040022.tif 000009
【図８】
2005040022.tif 000010
【図９】
2005040022.tif 000011
【図１０】
2005040022.tif 000012
【図１１】
2005040022.tif 000013
【図１２】
2005040022.tif 000014
【図１３】
2005040022.tif 000015
【図１４】
2005040022.tif 000016
【図１５】
2005040022.tif 000017
【図１６】
2005040022.tif 000018
【図１７】
2005040022.tif 000019
【図１８】
2005040022.tif 000020
【図１９】
2005040022.tif 000021
【図２０】
2005040022.tif 000022
【図２１】
2005040022.tif 000023